(57)【要約】【課題】  冷間時のオイル暖機性及び温間時のオイル冷却性を確保し得るエンジンの冷却装置を提供する。【解決手段】  後方排気後方スラント式に搭載されるクロスフロー型の直列多気筒エンジンで、排気側がスラスト側に対応し、オイルリターン通路がシリンダブロック及びシリンダヘッドの排気側側壁に形成されるエンジンに対して、ブロック一端側に設けられた冷却水流入ポートに連通しつつ、排気側側壁に沿って延び、更に、ブロック他端側を介し吸気側側壁に沿って延び、ブロック一端側に至るブロック冷却通路と、ブロック冷却通路の上流位置にて、ブロック一端側かつ排気側で、ブロック冷却通路からヘッド一端側に至る第１の連通路と、ブロック冷却通路の下流位置にて、ブロック一端側かつ吸気側で、ブロック冷却通路からヘッド一端側に至る第２の連通路と、第１及び第２の連通路に連通するヘッド一端側からヘッド他端側へ延びるヘッド冷却通路とを備えた冷却装置を設ける。【選択図】図２
2006057468.tif 000002
【特許請求の範囲】
【請求項１】
吸気系と排気系とが互いにシリンダヘッドの反対側に配置されたクロスフロー型の直列多気筒エンジンであって、該排気系が下側に位置するようにエンジン本体が傾斜して搭載されるとともに、該排気系が設けられた排気側が直列多気筒のスラスト側に対応するように構成され、シリンダブロック及びシリンダヘッドの該排気側側面の内部に、該シリンダヘッド及びシリンダブロックにわたり延びるオイルリターン通路が形成されるエンジンを冷却する冷却装置において、
上記シリンダブロックの一端側又はその近傍に設けられた冷却水流入ポートに連通する通路であって、上記直列多気筒の排気側側面に沿って延び、更に、該シリンダブロックの他端側を介し吸気側側面に沿って延び、該シリンダブロックの一端側に至るブロック冷却通路と、
上記ブロック冷却通路の上流位置にて、上記シリンダブロックの一端側かつ排気側で、上記ブロック冷却通路に連通し上記シリンダヘッドの一端側に至る第１の連通路と、
上記ブロック冷却通路の下流位置にて、上記シリンダブロックの一端側かつ吸気側で、上記ブロック冷却通路に連通しシリンダヘッドの一端側に至る第２の連通路と、
上記第１及び第２の連通路に連通するシリンダヘッドの一端側から冷却水流出ポートが設けられた該シリンダヘッドの他端側へ延びるヘッド冷却通路と、を有していることを特徴とするエンジンの冷却装置。
【請求項２】
上記排気側が車両後方側に対応するようにエンジンが横置搭載されて、後方排気後方スラント式で配設されていることを特徴とする請求項１記載のエンジンの冷却装置。
【請求項３】
上記ヘッド冷却通路は、該シリンダヘッドの一端側で上記第１及び第２の連通路にそれぞれ連通し該シリンダヘッドの一端側から他端側へ延びる排気側冷却通路及び吸気側冷却通路から構成されており、
上記排気側冷却通路及び吸気側冷却通路を区画する所定高さの縦リブが、該シリンダヘッドの長手方向に沿って形成されていることを特徴とする請求項１又は２に記載のエンジンの冷却装置。
【請求項４】
上記排気系を構成する排気マニホールドの直下にかつ上記シリンダブロックの側面に近接して排気浄化装置が配設されていることを特徴とする請求項１〜３のいずれか一に記載のエンジンの冷却装置。
【請求項５】
上記シリンダブロックが、ウォータジャケットの上部にデッキ部を備えたクローズドデッキタイプのブロックであり、上記デッキ部には、上記ブロック冷却通路に対応して、複数のガス抜き用の孔が形成されるとともに、
上記第１及び第２の連通路を含み、上記ブロック冷却通路と上記ヘッド冷却通路とを連通させる連通路が複数設けられ、上記シリンダブロックの一端側及びその近傍に設けられた連通路の開口面積が他の連通路の開口面積より大きく設定されていることを特徴とする請求項１〜４のいずれか一に記載のエンジンの冷却装置。
【発明の詳細な説明】
【技術分野】
【０００１】
本発明は、エンジンの冷却装置、より詳しくは、車両に後方排気後方スラント式に搭載されたエンジンを冷却する冷却装置に関する。
【背景技術】
【０００２】
従来、車両前部のエンジンルーム内にエンジンを搭載する様式として、例えば特開平０５−１５３０号公報及び特開平０５−１０４９７０号公報に開示されるように、車両前後方向における後方側に排気系が設けられる排気側を設定し、かつ、排気側を下方に位置させるべくエンジン本体を傾斜させた状態に保持する所謂後方排気後方スラント式が知られている。この様式によれば、エンジン排気側と車両後部に設けられるキャタライザとの距離を短く設定して、触媒温度を確保し、また、熱の滞留し易い後方排気側を避け、各種の補機をエンジン前方側に配設することができる。
【０００３】
【特許文献１】特開平０５−１５３０号公報
【特許文献２】特開平０５−１０４９７０号公報
【発明の開示】
【発明が解決しようとする課題】
【０００４】
ところで、エンジンにおいては、各種摺動部における摩擦損失や摩耗を低減させるとともに、それらの冷却を促し、衝撃圧力を分散させることを目的として、エンジンオイルによる潤滑が行われる。通常、オイルポンプによりオイルパンから吸い上げられたエンジンオイルが、オイルフィルタによって濾過された後にシリンダブロック内のメインギャラリに送られる。そして、そこからクランク軸やピストン又はシリンダヘッドの動弁系等に分配され、それらの各摺動部において潤滑や冷却等に供された後に、自然に落下して、オイルパンに戻される。この際、クランク軸やピストンに供給されたオイルは、それらの各摺動部からクランク室に漏れ出て、そこから直接的にオイルパンに落下する一方、シリンダヘッドの動弁系等に供給されたオイルは、カム軸やタペット等の各摺動部から漏れ出て、シリンダヘッドのミドルデッキ上を流れ、このミドルデッキからシリンダヘッド及びシリンダブロックを貫通するオイルリターン通路を通って、オイルパンに落下する。
【０００５】
前述した後方排気後方スラント式で搭載されるエンジンにおいて、かかるオイルリターン通路における円滑なオイルの流れを確保するには、少なくとも１本のオイルリターン通路を、他より下側に位置する後方排気側に設ける必要がある。しかしながら、オイルリターン通路を後方排気側に配設した場合、オイルに対する排気熱の影響が懸念される。つまり、冷間時には、油温を早期に上昇させオイル粘性を低下させ得る点で有利であるが、暖機後の温間時には、排気熱の影響を受け、油温が過度に上昇しオイルが高騰する惧れがある。油温を低下させる手段としては、オイルを冷却するオイルクーラを装備することが知られるが、この場合には、コスト増大を回避し得ない。
【０００６】
この発明は、上記技術的課題に鑑みてなされたもので、コスト増大を招来することなく、冷間時のオイル暖機性及び温間時のオイル冷却性を両立して確保し得るエンジンの冷却装置を提供することを目的とする。
【課題を解決するための手段】
【０００７】
本願の請求項１に係る発明は、吸気系と排気系とが互いにシリンダヘッドの反対側に配置されたクロスフロー型の直列多気筒エンジンであって、該排気系が下側に位置するようにエンジン本体が傾斜して搭載されるとともに、該排気系が設けられた排気側が直列多気筒のスラスト側に対応するように構成され、シリンダブロック及びシリンダヘッドの該排気側側面の内部に、該シリンダヘッド及びシリンダブロックにわたり延びるオイルリターン通路が形成されるエンジンを冷却する冷却装置において、上記シリンダブロックの一端側又はその近傍に設けられた冷却水流入ポートに連通する通路であって、上記直列多気筒の排気側側面に沿って延び、更に、該シリンダブロックの他端側を介し吸気側側面に沿って延び、該シリンダブロックの一端側に至るブロック冷却通路と、上記ブロック冷却通路の上流位置にて、上記シリンダブロックの一端側かつ排気側で、上記ブロック冷却通路に連通し上記シリンダヘッドの一端側に至る第１の連通路と、上記ブロック冷却通路の下流位置にて、上記シリンダブロックの一端側かつ吸気側で、上記ブロック冷却通路に連通しシリンダヘッドの一端側に至る第２の連通路と、上記第１及び第２の連通路に連通するシリンダヘッドの一端側から冷却水流出ポートが設けられた該シリンダヘッドの他端側へ延びるヘッド冷却通路と、を有していることを特徴としたものである。
【０００８】
また、本願の請求項２に係る発明は、請求項１に係る発明において、上記排気側が車両後方側に対応するようにエンジンが横置搭載されて、後方排気後方スラント式で配設されていることを特徴としたものである。
【０００９】
更に、本願の請求項３に係る発明は、請求項１又は２に係る発明において、上記ヘッド冷却通路は、該シリンダヘッドの一端側で上記第１及び第２の連通路にそれぞれ連通し該シリンダヘッドの一端側から他端側へ延びる排気側冷却通路及び吸気側冷却通路から構成されており、上記排気側冷却通路及び吸気側冷却通路を区画する所定高さの縦リブが、該シリンダヘッドの長手方向に沿って形成されていることを特徴としたものである。
【００１０】
また、更に、本願の請求項４に係る発明は、請求項１〜３に係る発明のいずれか一において、上記排気系を構成する排気マニホールドの直下にかつ上記シリンダブロックの側面に近接して排気浄化装置が配設されていることを特徴としたものである。
【００１１】
また、更に、本願の請求項５に係る発明は、請求項１〜４に係る発明のいずれかにおいて、上記シリンダブロックが、ウォータジャケットの上部にデッキ部を備えたクローズドデッキタイプのブロックであり、上記デッキ部には、上記ブロック冷却通路に対応して、複数のガス抜き用の孔が形成されるとともに、上記第１及び第２の連通路を含み、上記ブロック冷却通路と上記ヘッド冷却通路とを連通させる連通路が複数設けられ、上記シリンダブロックの一端側及びその近傍に設けられた連通路の開口面積が他の連通路の開口面積より大きく設定されていることを特徴としたものである。
【発明の効果】
【００１２】
本願の請求項１に係る発明によれば、ブロック冷却通路内で一方向に冷却水が流れるため、冷却水の澱みが発生し難く、シリンダブロックを比較的均一に冷却することができ、良好なエンジン冷却性を確保することができる。また、オイルリターン通路が形成される排気側から優先的に冷却を行うことで、温間時における油温の高騰を防止することができ、オイルリターン通路を通じた良好なオイルの戻りが実現可能である。なお、排気側にオイルリターン通路が形成されることから、冷間時には排気熱によりオイルの良好な暖機性を確保することができる。その結果、オイルクーラの装備によるコスト増大を招来することなく、冷間時のオイル暖機性及びオイル温間時の冷却性を両立して確保することができる。
【００１３】
また、本願の請求項２に係る発明によれば、エンジンが後方排気後方スラント式で搭載され、この場合には、排気側が熱的に一層厳しくなるため、請求項１に係る発明による効果は特に有用である。
【００１４】
更に、本願の請求項３に係る発明によれば、第１の連通路を介して送られてきた比較的低温の冷却水でシリンダヘッド排気側が冷却されるため、シリンダヘッドにおける排気側と吸気側との間の温度差を抑制し、エンジンの温度分布の均一性を高めることができる。
【００１５】
また、更に、本願の請求項４に係る発明によれば、排気浄化装置が、シリンダブロックに近接して熱的に厳しい排気側に配設されるため、特にエンジン始動後の触媒性能の早期活性化を図り、触媒の暖機性を向上させることができる。
【００１６】
また、更に、本願の請求項５に係る発明によれば、上部にデッキ部を備えたシリンダブロックが採用されることから、ブロック自体の剛性を確保し、気筒の変形を抑制し、また、ノッキングセンサによるノック振動の検出性能を確保することができ、更に、デッキ部にガス抜き用の孔が設けられることから、シリンダブロック側の冷却通路内でのガス溜まりを抑制し、それに起因する冷却水の澱みを抑制して、エンジンの冷却性を改善することができる。また、更に、シリンダブロックの一端側及びその近傍に設けられた連通路の開口面積が他の連通路より大きく設定されることから、例えばシリンダブロックの他端側など他の箇所での冷却水の澱みを抑制することができ、また、シリンダブロックの一端側で比較的大流量の冷却水がシリンダヘッド側へ移動させられることから、シリンダヘッド側での冷却性を改善することができる。
【発明を実施するための最良の形態】
【００１７】
以下、本発明の実施形態について、添付図面を参照しながら説明する。図１は、本発明の実施形態に係るエンジンを、その内部構成の一部をあらわしつつ概略的に示す説明図である。エンジン１は、吸気系と排気系とが互いにシリンダヘッド２０の反対側に配置された所謂クロスフロー型の直列４気筒エンジンであり、車両前部に設けられたエンジンルーム（不図示）内に、４つの気筒が車幅方向に沿って直列するように横置きされ、かつ、その排気系が車両前後方向における後方側に位置するように搭載される。加えて、このエンジン１は、シリンダヘッド側が後傾し後方側の排気系が下側に位置するようにスラントした状態に保持される。すなわち、このエンジン１は、エンジンルーム内で、所謂後方排気後方スラント式に搭載されている。図１の右側及び左側は、それぞれ車両前方側及び車両後方側に対応する。なお、以下で用いる「前方側」は、車両前後方向における前方側を、また、「後方側」は、車両前後方向における後方側をあらわすものとする。
【００１８】
エンジン１では、シリンダブロック１０と該シリンダブロック１０の上側に組み付けられるシリンダヘッド２０とにより、エンジン本体部４が構成され、更に、エンジン本体部４の上側には、シリンダヘッドカバー４０が取り付けられ、他方、エンジン本体部４の下側には、エンジンオイルを溜めておくためのオイルパン４１が取り付けられている。なお、特に図示しないが、オイルパン４１内には、エンジン１を潤滑するオイルを吸い上げるために、オイルポンプに連通したオイルストレーナがオイル内に浸漬した状態で配設されている。
【００１９】
更に、エンジン本体部４の前方側には、各気筒２内に吸気を導入するための吸気マニホールド及びサーモ等の各種補機（符号４２が付された仮想線で示す）が設けられている。また、エンジン本体部４の後方側には、各気筒２からの排気を排出するための排気マニホールド４４が設けられている。排気マニホールド４４は、排気浄化装置（不図示）に連通する排気用配管４５に接続している。
【００２０】
図１に概略的に示すように、エンジン本体部４の内部には、ピストン５３が、クランク室５０内に４気筒の直列方向に対して平行に支持されるクランク軸５１に、ロッド５２を介して連結されている。ピストン５３は、クランク軸５１の回転動作に伴い、シリンダブロック１０及びシリンダヘッド２０により構成された気筒２内で往復運動する。本実施形態では、クランク軸５１が、排気系が設けられたエンジン本体部４の後方側及び吸気系が設けられたエンジン本体部４の前方側が、それぞれスラスト側及び反スラスト側となるように回転させられる。
【００２１】
また、エンジン本体部４の内部には、シリンダブロック１０及びシリンダヘッド２０にわたり連通するウォータジャケット５及び２５が気筒２の周囲に設けられている。更に、オイルパン４１から汲み上げられシリンダヘッドカバー４０内の動弁機構等の潤滑部を潤滑したオイルをオイルパン４１に戻すべく、エンジン本体部４の後方側側壁において、シリンダブロック１０及びシリンダヘッド２０にわたり連通するオイルリターン通路９及び２９が設けられている。
【００２２】
このように、エンジン１が後方排気後方スラント式に搭載され、排気マニホールド４４が設けられた側（以下、排気側という）にオイルリターン通路９及び２９が設けられる構成では、エンジン温間時に、排気側に設けられたオイルリターン通路９及び２９内に通過するオイルの温度が過度に上昇し高騰することが懸念されるが、本実施形態では、シリンダブロック１０及びシリンダヘッド２０に設けられるウォータジャケット５及び２５の構造により、温間時にも良好なオイルの冷却性が確保可能である。なお、図１にて、吸気側に設けられそれぞれシリンダブロック１０及びシリンダヘッド２０を貫通する通路２７及び３７はブローバイガス通路である。以下、ウォータジャケット５及び２５について詳細に説明する。
【００２３】
図２は、シリンダブロック１０のウォータジャケット５の構成を示す断面説明図である。この図では、直列気筒２Ａ〜２Ｄの中心線が符号Ｃを付して示されるが、この中心線Ｃの上側が排気側（すなわちスラスト側）に対応し、また、中心線Ｃの下側が吸気側（すなわち反スラスト側）に対応する。このシリンダブロック１０には、気筒２Ａ〜２Ｄの周囲にＵターン方式のウォータジャケット５が構成されている。ウォータジャケット５は、シリンダブロック１０の一端側（図２の左端側）で、反スラスト側に設けられた冷却水流入ポート１９からスラスト側に至る通路５ａと、気筒２Ａ〜２Ｄのスラスト側側壁に沿った通路５ｂと、シリンダブロック１０の他端側（図２の右側）で、スラスト側から反スラスト側に至る通路５ｃと、気筒２Ａ〜２Ｄの反スラスト側側壁に沿った通路５ｄとから構成される。通路５ｄと通路５ａとは、仕切り壁８により区画されている。また、仕切り壁８には、シリンダブロック１０に対してシリンダヘッド２０を取り付けるためのボルト締結用の雌ネジ孔７が形成されている。シリンダブロック１０の周縁部には、仕切り壁８に形成された雌ネジ孔７を含み、複数の雌ネジ孔７が形成されている。オイルリターン通路９は、これら雌ネジ孔７の更に外側に複数設けられている。
【００２４】
図３は、シリンダブロック１０の上面をあらわす図である。このシリンダブロック１０は、その上部にトップデッキ１２を有するクローズドデッキタイプのブロックである。トップデッキ１２は、気筒２Ａ〜２Ｄ及び雌ネジ孔７の開口面をなしつつ、図２に示すウォータジャケット５を覆い、シリンダブロック１０側に構成されるウォータジャケット５の上壁をなしている。そして、このトップデッキ１２には、ウォータジャケット５を構成する各通路５ａ〜５ｄに対応して、シリンダブロック１０側のウォータジャケット５とシリンダヘッド２０側のウォータジャケット２５（図６参照）とを互いに連通させる連通路が形成されている。より具体的には、ウォータジャケット５の上流位置において、通路５ａに対応して、反スラスト側に配置された連通路１３Ａ、及び、スラスト側に配置された連通路１３Ｂが形成され、また、通路５ｂに対応して、連通路１３Ｃが形成されている。更に、ウォータジャケット５の下流位置において、通路５ｄに対応して、連通路１３Ｄが形成されている。連通路１３Ａ〜１３Ｄは、共に、シリンダブロック１０の一端側（図３の左端側）近傍に形成されるもので、符号別に異なる形状及び開口面積を有している。
【００２５】
また、連通路１３Ａ〜１３Ｄに加えて、トップデッキ１２には、通路５ｂ，５ｃ及び５ｄの各々に対応して、シリンダヘッド２０側のウォータジャケット２５に連通する鋳造時のガス溜まり防止用のガス抜き孔１８が形成されている。このガス抜き孔１８は、シリンダブロック１０側のウォータジャケット５からシリンダヘッド２０側のウォータジャケット２５への冷却水通路となっており、冷却水のエア溜まり防止をも兼ねている。なお、実際には、ヘッドガスケットに、この孔１８と対応した孔が形成されているが、本図では、簡略のため、ガスケットを省略している。かかるガス抜き孔１８が設けられることで、シリンダブロック１０側のウォータジャケット５内でのエア溜まりが抑制され、良好な冷却水の流通が実現され得る。なお、ガス抜き孔１８の開口面積は、前述した連通路１３Ａ〜１３Ｄの開口面積Ｓ１〜Ｓ４と比較して小さく設定されている。
【００２６】
以上のようにシリンダブロック１０に構成されたＵターン方式のウォータジャケット５に対して、ラジエータ（不図示）で冷却された冷却水が、反スラスト側に設けられた冷却水流入ポート１９から送り込まれるが、この場合には、冷却水の一部が、ウォータジャケット５への流入直後に、連通路１３Ａ〜１３Ｃを介して、シリンダヘッド２０側のウォータジャケット２５へ移動させられる。そして、残りの冷却水が、図２中の二点鎖線の矢印で示されるルートで通路５ａ〜５ｄを順次通過し、シリンダブロック１０の一端側に戻ってきた後に、連通路１３Ｄを介して、シリンダヘッド２０側のウォータジャケット２５へ移動させられる。本実施形態では、連通路１３Ａ〜１３Ｃを介してシリンダヘッド２０側へ移動させられる冷却水が、連通路１３Ｄを介してシリンダ２０側へ移動させられる冷却水とほぼ同じ流量若しくはそれ以上の流量になるように、各連通路１３Ａ〜１３Ｄの開口面積が設定される。
【００２７】
かかるシリンダブロック１０側のウォータジャケット５が構成されることにより、冷却水流入ポート１９から流入された冷却水が、まず、エンジン稼働中に排気熱及びピストン５３と気筒２Ａ〜２Ｄの内壁との間に生じる摩擦熱が大きく影響するスラスト側に送られ、スラスト側が優先的に冷却されることで、エンジン１の効率的な冷却が可能である。また、ウォータジャケット５への流入直後に、ウォータジャケット５の上流位置に設けられた連通路１３Ａ〜１３Ｃを介して、比較的大流量の冷却水がシリンダヘッド２０側へ移動させられるため、シリンダヘッド２０側のウォータジャケット２５にて比較的低温の冷却水を確保することができる。
【００２８】
次に、シリンダヘッド２０側に構成されたウォータジャケット２５について説明する。前述したように、シリンダブロック１０側には、スラスト側及び反スラスト側に順次冷却水が流通させられるＵターン方式のウォータジャケット５が構成されるが、これに対して、シリンダヘッド２０側には、並列方式のウォータジャケット２５が構成され、シリンダブロック１０から移動してきた冷却水が、シリンダヘッド２０の一端側から他端側へ向けて、スラスト側及び反スラスト側別に同時に流通させられる。図４及び５は、それぞれ、シリンダブロック１０のトップデッキ１２上に取り付けられたシリンダヘッド２０の上面をあらわす図及び断面説明図及びである。なお、図４では、シリンダブロック１０との位置関係を明確にするために、図２及び図３であらわされた直列気筒２Ａ〜２Ｄの中心軸Ｃが付されている。すなわち、図４では、図２及び図３における場合と同様に、中心線Ｃの上側がスラスト側に対応し、中心線Ｃの下側が反スラスト側に対応する。
【００２９】
シリンダヘッド２０には、各気筒２Ａ〜２Ｄの排気口（不図示）に連通される複数の排気弁孔３１と、各気筒２Ａ〜２Ｄの吸気口（不図示）に連通される複数の吸気弁孔３２と、が設けられている。また、シリンダヘッド２０には、シリンダブロック１０に設けられた雌ネジ孔７に対応して開口し、ボルト（不図示）を挿通させるための挿通孔３４が形成されている。シリンダヘッド２０において、オイルリターン通路２９は、これら挿通孔３４の更に外側に複数設けられている。なお、このシリンダヘッド２０は、かかる構成以外にも、従来公知の構成を有するものであるが、ここでは、他の構成についての説明を省略する。
【００３０】
本実施形態では、更に、シリンダヘッド２０におけるウォータジャケット２５が構成される部位に、シリンダヘッド２０の長手方向に沿って延びる所定高さの縦リブ２６が形成されている。この縦リブ２６は、ウォータジャケット２５の全長にわたり延びるもので、これにより、ウォータジャケット２５は、スラスト側と反スラスト側でシリンダヘッド２０の長手方向に沿って走る通路２５ａ及び２５ｂをなすように区画される。縦リブ２６の高さは、通常、正常なエンジン稼働状態において、各通路２５ａ及び２５ｂに流入してきた冷却水が通路２５ａ及び２５ｂ間で移動することが防止されるように設定されている。なお、この縦リブ２６は、例えばエンジン１がエンジンルーム内でスラントして搭載される場合に対応して、ウォータジャケット２５内でのエア溜まりを防止すべく、排気側及び吸気側を完全に仕切らないように設けられる。特にエンジン１がスラントして搭載されかつ排気系が後方側に配設される場合には、エア溜まりによって冷却装置の性能が大きく低下する可能性が大きく、かかる縦リブ２６の構成は有効である。
【００３１】
シリンダヘッド２０の一端側（図４の左端側）で、スラスト側の通路２５ａは、シリンダブロック１０側に形成された連通路１３Ｂ及び１３Ｃに連通し、他方、反スラスト側の通路２５ｂは、シリンダブロック１０側に形成された連通路１３Ａ及び１３Ｄに連通する。シリンダブロック１０側のウォータジャケット５から連通路１３Ｂ及び１３Ｃを介して流入してきた冷却水、及び、連通路１３Ｂ及び１３Ｃを介して流入してきた冷却水は、それぞれ、縦リブ２６で区画されてなる通路２５ａ及び２５ｂ内で、シリンダヘッド２０の一端側から他端側へ流通する。シリンダヘッド２０の他端側（図４の右端側）に到達した冷却水は、ウォータジャケット２５の流出側に取り付けられたウォータアウトレット部材（不図示）を介して、エンジン本体部４の外部へ流出する。
【００３２】
本実施形態では、前述したように、シリンダブロック１０側のウォータジャケット５への流入直後に、連通路１３Ａ〜１３Ｃを介して、比較的大流量の冷却水がシリンダヘッド２０側へ移動させられ、シリンダヘッド２０の一端側で低温の冷却水が確保される。また、かかる低温の冷却水は、連通路１３Ａ及び１３Ｄを介して流入してきた冷却水と隔離されて、縦リブ２６により排気側にあたるスラスト側に構成された通路２５ａ内に偏流させられるため、エンジン稼働中に排気側の冷却性が高まり、排気側と吸気側との温度差を抑制することができる。
【００３３】
以上の説明から明らかなように、本実施形態に係るエンジン１の冷却装置によれば、シリンダブロック１０側のウォータジャケット５において、まず排気側に冷却水が送られることで、エンジン稼働中に比較的高温となる排気側での良好な冷却性が確保され、また、冷却水が気筒２Ａ〜２Ｄの周囲に一方向に送られることで、冷却水の澱みが抑制され、各気筒２Ａ〜２Ｄの温度の良好な均一性が得られる。これにより、直列した気筒２Ａ〜２Ｄの変形が抑制され、また、吸気系による吸気充填の均一性が高まることで、燃費性能が改善され得る。更に、シリンダヘッド２０側のウォータジャケット２５においては、シリンダヘッド２０の一端側で、連通路１３Ａ〜１３Ｃを介して比較的低温の冷却水が送られてくるため、シリンダヘッド２０側での冷却性が改善され得る。このように、ウォータジャケット５及び２５により排気側での良好な冷却性が確保されることで、本体が後方排気後方スラント式に搭載され、オイルリターン通路９及び２９が排気側に設けられたエンジン１において、エンジン温間時に、冷却水によりオイルリターン通路９及び２９を通過するオイルの良好な冷却性が確保され温度の高騰が防止されて、オイルリターン通路９及び２９を通じた良好なオイルの戻りが実現可能である。なお、エンジン冷間時には、排気熱によりオイルの良好な暖機性を確保することができる。その結果、オイルクーラの装備によるコスト増大を招来することなく、冷間時のオイル暖機性及び温間時のオイル冷却性を両立して確保することができる。かかる効果は、エンジン１が後方排気後方スラント式で横置搭載される場合に、排気側が一層熱的に厳しくなるため、特に有用である。
【００３４】
また、本実施形態に係るエンジン１の冷却装置によれば、シリンダヘッド２０側に縦リブ２６で区画された排気側通路２５ａ及び吸気側通路２５ｂが構成されることにより、連通路１３Ｂ及び１３Ｃを介して送られてきた比較的低温の冷却水で排気側が冷却されるため、シリンダヘッド２０における排気側と吸気側との間の温度差を抑制し、エンジン全体の温度の均一性を高めることができる。
更に、トップデッキ１２を備えたシリンダブロック１０が採用されることから、ブロック１０の剛性が確保され、例えば高熱の影響による気筒２Ａ〜２Ｄの変形が抑制され、また、エンジン１において各気筒２Ａ〜２Ｄ毎に設定されたノッキングセンサ（不図示）によるノック振動の検出性能が確保されるとともに、トップデッキ１２に鋳造時のガス抜き用の孔１８が設けられた場合にも、そのガス抜き用の孔１８でのエア溜まりや冷却水の澱みが抑制され、良好なエンジン冷却性が確保され得る。
【００３５】
なお、本発明は、例示された実施形態に限定されるものでなく、本発明の要旨を逸脱しない範囲において、種々の改良及び設計上の変更が可能であることは言うまでもない。
例えば、前述した実施形態では、オイルリターン通路が、吸気側及び排気側の両方に設けられたが、これに限定されることなく、少なくとも排気側に設けられていれば、いかなる形態であってもよい。また、特に図示しないが、エンジン１の後方側で、排気マニホールドのほぼ直下にかつシリンダブロック１０の側面に近接するように、排気浄化装置を配設してもよい。これによれば、特にエンジン始動後の触媒性能の早期活性化を図り、触媒の暖機性を向上させることができる。
【産業上の利用可能性】
【００３６】
本願発明に係るエンジンの冷却装置は、自動車等の車両を含み、エンジンが搭載されるものであれば、いかなるものにも適用可能である。
【図面の簡単な説明】
【００３７】
【図１】本発明の実施形態に係る後方排気後方スラント式に搭載されたエンジンを概略的に示す説明図である。
【図２】ウォータジャケット及びオイルリターン通路が形成されたシリンダブロックの横断面説明図である。
【図３】シリンダブロックの上面を示す図である。
【図４】シリンダヘッドの上面を示す図である。
【図５】シリンダヘッドの縦断面説明図である。
【符号の説明】
【００３８】
１…エンジン
２Ａ，２Ｂ，２Ｃ，２Ｄ…気筒
５…シリンダブロック側ウォータジャケット
９…シリンダブロック側オイルリターン通路
１０…シリンダブロック
１３Ａ，１３Ｂ，１３Ｃ，１３Ｄ…連通路
１８…ガス抜き用孔
２０…シリンダヘッド
２５…シリンダヘッド側ウォータジャケット
２５ａ…排気側通路
２５ｂ…吸気側通路
２６…縦リブ
２９…シリンダヘッド側オイルリターン通路
【図１】
2006057468.tif 000003
【図２】
2006057468.tif 000004
【図３】
2006057468.tif 000005
【図４】
2006057468.tif 000006
【図５】
2006057468.tif 000007